(57)【要約】      （修正有）【課題】ネットワーク接続電力の補整を達成すべく、コンパクトで、フレキシブルに、手間なく適合可能で、低コストの構造形式を実現するはずみ式アキュムレータ機械およびはずみ式アキュムレータ機械を運転する方法を提供する。【解決手段】はずみ式アキュムレータ機械１０と、直流電圧中間回路を介して電気的な消費器へ供給を行う方法とを提供する。はずみ式アキュムレータ機械１０は、ハウジング１１と、軸１２と、はずみ式アキュムレータ機械１０内に運動エネルギを蓄積すべく、軸１２を駆動するように配置されている電気機械１４，１５と、を備え、電気機械１４，１５および軸１２は、ハウジング１１内にカプセル化されており、軸１２は、ハウジング１１の外からアクセス不能である。再潤滑の選択肢を有するハイブリッド軸受の使用は、大幅に延長された寿命を可能にする。【選択図】図１
2019193560.tif 000002
【特許請求の範囲】
【請求項１】
はずみ式アキュムレータ機械（１０）であって、
ハウジング（１１）と、
軸（１２）と、
前記はずみ式アキュムレータ機械（１０）内に運動エネルギを蓄積すべく、前記軸（１２）を駆動するように配置されている電気機械（１４，１５）と、
を備え、
前記電気機械（１４；１５）および前記軸（１２）は、前記ハウジング（１１）内にカプセル化されており、前記軸（１２）は、前記ハウジング（１１）の外からアクセス不能である、
はずみ式アキュムレータ機械（１０）。
【請求項２】
はずみ質量体（１６）をさらに備え、
前記はずみ質量体（１６）は、前記ハウジング（１１）内で前記軸（１２）に取り付けられている、
請求項１記載のはずみ式アキュムレータ機械（１０）。
【請求項３】
前記電気機械（１４，１５）のロータ（１４）は、前記はずみ質量体（１６）の横で前記軸（１２）に取り付けられている、請求項２記載のはずみ式アキュムレータ機械（１０）。
【請求項４】
前記はずみ質量体（１６）は、リング形の取り付け装置（１７）により前記軸（１２）にクランプされている、請求項２または３記載のはずみ式アキュムレータ機械（１０）。
【請求項５】
軸受（１３）をさらに備え、
前記軸受（１３）は、前記軸（１２）の端部を前記ハウジング（１１）の軸受キャップ（１１１，１１２）において支持するように構成されている、
請求項１から４までのいずれか１項記載のはずみ式アキュムレータ機械（１０）。
【請求項６】
前記軸受（１３）は、セラミックの転動体を有するハイブリッド軸受として構成されており、かつ
前記軸受キャップ（１１１，１１２）内に、前記ハウジング（１１）の外から前記セラミックの転動体に潤滑剤を供給する通路（１３１，１３２）が配置されている、
請求項５記載のはずみ式アキュムレータ機械（１０）。
【請求項７】
前記軸受（１３）の各々に設けられた古い潤滑剤を収容するリザーバ（１３５，１３６）をさらに備える、請求項６記載のはずみ式アキュムレータ機械（１０）。
【請求項８】
前記電気機械（１４，１５）のステータ（１５）に対して相対的な前記軸（１２）のポジションを検出するとともに、検出した前記ポジションを、前記電気機械（１４，１５）を制御する制御装置（２０）に出力する機械トランスデューサ（１８）をさらに備える、請求項１から７までのいずれか１項記載のはずみ式アキュムレータ機械（１０）。
【請求項９】
前記電気機械（１４，１５）は、液冷式の永久励磁式の同期モータとして構成されているか、または
前記電気機械（１４，１５）は、非同期モータとして構成されているか、または
前記電気機械（１４，１５）は、自然対流により冷却される永久励磁式のサーボモータとして構成されている、
請求項１から８までのいずれか１項記載のはずみ式アキュムレータ機械（１０）。
【請求項１０】
請求項１から９までのいずれか１項記載のはずみ式アキュムレータ機械（１０）と、
前記はずみ式アキュムレータ機械（１０）の前記電気機械（１４，１５）に好適な電流（Ｉ１）を供給するインバータ（３０）と、
前記電流（Ｉ１）を制御するように構成されている制御装置（２０）と、
を備え、
前記はずみ式アキュムレータ機械（１０）内に電気エネルギを蓄積するか、または前記はずみ式アキュムレータ機械（１０）内に蓄積した前記電気エネルギを直流電圧中間回路（４０）に放出する、
システム（１）。
【請求項１１】
前記システム（１）は、車両または産業設備の搬送システム内に組み込まれているか、またはプラスチック機械および／もしくは包装機械内またはプレス用途に組み込まれている、請求項１０記載のシステム（１）。
【請求項１２】
請求項１から１１までのいずれか１項記載のはずみ式アキュムレータ機械（１０）が接続されている直流電圧中間回路（４０）を介して電気的な消費器へ供給を行う方法であって、前記はずみ式アキュムレータ機械（１０）は、電気的な消費器としての負荷（５０）が要求する電力に応じて、電気エネルギを前記直流電圧中間回路（４０）に給電するか、または前記直流電圧中間回路（４０）から受電する、方法。
【発明の詳細な説明】
【技術分野】
【０００１】
本発明は、はずみ式アキュムレータ機械およびはずみ式アキュムレータ機械を運転する方法に関する。
【０００２】
その要素が少なくとも１つの駆動装置により動かされる電気機械は、その要素のためになすべき駆動作業に応じて時間的に変動する所要エネルギを有している。これにより、電気機械により必要に応じてエネルギ供給元からの電力が要求される。あるいは、電気機械により電力が、エネルギ供給元またはエネルギアキュムレータに放出され得る。要素の運動が加速されるべきときは、電気機械は、一時的に高められた所要エネルギを有する。要素の運動が減速されるべきときは、電気機械は、一時的にエネルギをエネルギアキュムレータに給電することができる。電気機械は、駆動装置として、例えば、ロータがステータに対して相対的に可動である少なくとも１つの回転機械または直動機械を有している。
【０００３】
これにより、電気機械の運転時、交番する加減速により、または産業プロセスにおけるその時々で異なる電力要求により負荷ピークが発生する。負荷ピークは、対応する電気エネルギ供給ネットワークに接続されているすべての電気的な消費器に対して、電圧変動を引き起こす。これにより引き起こされる変動するネットワーク電力は、例えば周期的に正逆の潮流を示すことがあり、部分的に極めて高い過負荷因子を有している。
【０００４】
これに対する対策として、電気機械に直流電圧中間回路を介して電気エネルギを供給することが可能である。直流電圧中間回路内には、所定量のエネルギが、負荷ピークをカバーすべく、一時的に蓄えられている。直流電圧中間回路用のエネルギアキュムレータとして、コンデンサあるいはバッファキャパシタまたは例えば独国特許出願公開第１０２０１００２３５３６号明細書に記載されているようなはずみ質量体式アキュムレータが公知である。
【０００５】
現在、はずみ質量体式アキュムレータは、実に多くの場所を取り、回転する部材に基づく受傷に対する防護に関して高コストに構成されねばならない。公知の解決手段の別の欠点は、はずみ質量体式アキュムレータの構造空間および組み込みが、はずみ質量体および駆動軸により制限されてしまっていることである。
【０００６】
それゆえ本発明の課題は、前述の問題を解決し得るはずみ式アキュムレータ機械およびはずみ式アキュムレータ機械を運転する方法を提供することである。特に、ネットワーク接続電力の補整を達成すべく、はずみ式アキュムレータ機械のためのコンパクトで、確実な、しかもそれぞれの用途にフレキシブルにかつ手間なく適合可能であって、なおかつこれにより低コストの構造形式を実現するはずみ式アキュムレータ機械およびはずみ式アキュムレータ機械を運転する方法を提供することである。
【０００７】
上記課題は、請求項１記載のはずみ式アキュムレータ機械により解決される。はずみ式アキュムレータ機械は、ハウジングと、軸と、はずみ式アキュムレータ機械内に運動エネルギを蓄積すべく、軸を駆動するように配置されている電気機械と、を備え、電気機械および軸は、ハウジング内にカプセル化されており、軸は、ハウジングの外からアクセス不能である。
【０００８】
はずみ式アキュムレータ機械は、外部のはずみ質量体が存在せず、外部へ案内される駆動軸も存在しないように設計され、構成されている。外部の駆動軸をなくしたことで、はずみ式アキュムレータ機械のモータを、直接、軸受あるいは軸受シールドを土台にして鉛直に置く可能性が生じる。その結果として、はずみ式アキュムレータ機械の、構造空間および組み込みに関して最適化された構造あるいは設置が達成される。はずみ式アキュムレータ機械の別の利点は、はずみ式アキュムレータ機械が問題なくそれぞれの用途に適合可能であるので、はずみ式アキュムレータ機械のための複雑でない配置転換にある。
【０００９】
さらにこれに加えて、外部の駆動軸をなくしたことと、これにより可能なはずみ式アキュムレータ機械のカプセル化とにより、より高いＩＰ保護等級が実現可能であり、塵埃および／または液体に対するはずみ式アキュムレータ機械のより高い封止が保証される。
【００１０】
はずみ式アキュムレータ機械は、ネットワーク中のピーク電力を低減し、接続電力を最小化することができる。さらにはずみ式アキュムレータ機械は、ネットワーク接続電力の補整をもたらすことに寄与する。加えてはずみ式アキュムレータ機械によりネットワーク異常用のネットワーク異常バッファリングが可能である。
【００１１】
はずみ式アキュムレータ機械の上述の特性は、機械の製造および運転に関してコスト面での利点を提供する。さらにこれに加えて、この場合、はずみ式アキュムレータ機械の軸の軸受の相応の構成により、はずみ式アキュムレータ機械の寿命を最大化すべく、はずみ式アキュムレータ機械の摩耗を最適化することができる。
【００１２】
はずみ式アキュムレータ機械の別の有利な構成は、従属請求項に記載されている。
【００１３】
一実施例によれば、はずみ式アキュムレータ機械は、加えて、はずみ質量体を備え、はずみ質量体は、ハウジング内で軸に取り付けられている。
【００１４】
別の一実施例によれば、電気機械のロータは、はずみ質量体の横で軸に取り付けられている。はずみ質量体は、リング形の取り付け装置により軸にクランプされていると、有利である。
【００１５】
場合によっては、加えて、軸受が設けられており、軸受は、軸の端部をハウジングの軸受キャップにおいて支持するように構成されている。
【００１６】
軸受は、セラミックの転動体を有するハイブリッド軸受として構成されており、軸受キャップ内に、ハウジングの外からセラミックの転動体に潤滑剤を供給する通路が配置されていることが可能である。この場合、加えて、軸受の各々に古い潤滑剤を収容するリザーバが設けられていてもよい。
【００１７】
付加的または代替的に、はずみ式アキュムレータ機械は、加えて、電気機械のステータに対して相対的な軸のポジションを検出するとともに、検出したポジションを、電気機械を制御する制御装置に出力する機械トランスデューサを備えている。
【００１８】
電気機械は、液冷式の永久励磁式の同期モータとして構成されているか、または電気機械は、非同期モータとして、または電気機械は、自然対流により冷却される永久励磁式のサーボモータとして構成されていることが可能である。
【００１９】
前述のはずみ式アキュムレータ機械は、システムの一部であってもよく、システムは、加えて、はずみ式アキュムレータ機械の電気機械に好適な電流を供給するインバータと、電流を制御するように構成されている制御装置と、を備え、はずみ式アキュムレータ機械内に電気エネルギを蓄積するか、またははずみ式アキュムレータ機械内に蓄積した電気エネルギを直流電圧中間回路に放出する。
【００２０】
システムは、車両または産業設備の搬送システム内に組み込まれていてもよい。
【００２１】
前述の課題は、加えて、請求項１２記載の、直流電圧中間回路を介して電気的な消費器へ供給を行う方法により解決される。直流電圧中間回路内には、前述のはずみ式アキュムレータ機械が接続されており、はずみ式アキュムレータ機械は、電気的な消費器としての負荷が要求する電力に応じて、電気エネルギを直流電圧中間回路に給電するか、または直流電圧中間回路から受電する。
【００２２】
本方法は、はずみ式アキュムレータ機械との関連で前述したのと同じ利点を達成する。
【００２３】
本発明の別の可能な実施は、前述の、または以下に実施例に関して説明する複数の特徴または実施の形態の、明示的には記載していない組み合わせも包含する。その際、当業者は、個々の態様を改良または補足として本発明のそれぞれの基本形態に付加することができる。
【００２４】
以下に本発明について、添付の図面を参照しながら実施例を基に詳しく説明する。
【図面の簡単な説明】
【００２５】
【図１】第１の実施例によるはずみ式アキュムレータ機械を備えるシステムの、簡略化した概略図である。
【図２】第１の実施例によるはずみ式アキュムレータの任意選択的なはずみ質量体用の取り付け装置を示す図である。
【図３】第１の実施例によるはずみ式アキュムレータの任意選択的なはずみ質量体用の取り付け装置を示す別の図である。
【図４】第２の実施例による直流電圧中間回路内でのはずみ式アキュムレータの接続を著しく簡略化して示すブロック線図である。
【００２６】
図中、同じまたは機能同一の要素には、特に断りのない限り、同じ符号を付した。
【００２７】
図１は、はずみ式アキュムレータ機械１０と、はずみ式アキュムレータ機械１０の電気機械を制御するように設けられ、かつ構成されている制御装置２０とを備えるシステム１を示している。はずみ式アキュムレータ機械１０には、制御装置２０の制御下でインバータ３０から電流Ｉ１が供給されるか、またははずみ式アキュムレータ機械１０は、インバータに電流Ｉ２を給電することができる。
【００２８】
はずみ式アキュムレータ機械１０と、制御装置２０と、インバータ３０とを備えるシステム１は、駆動システムのために使用可能であり、駆動システムは、例えばプレス設備および／またはプレストランスファおよび／または工作機械および／またはプラスチック機械および／または取り扱いシステム（ハンドリングシステムともいう）において、ネットワーク側のピーク電力低減用のエネルギマネジメントならびに／またはネットワーク異常バッファリング用のエネルギマネジメントとともに使用可能である。
【００２９】
図１のはずみ式アキュムレータ機械１０は、ハウジング１１と、軸１２と、軸１２をハウジング１１において支持する軸受１３と、ロータ１４と、ステータ１５と、機械トランスデューサ１８とを備えている。任意選択的には、はずみ質量体１６、およびはずみ質量体１６用の取り付け装置１７も存在している。
【００３０】
ハウジング１１は、軸受１３用の軸受キャップ１１１，１１２、軸１２用のカバー要素１１３，１１４およびキャップ１１５，１１６とともに、はずみ式アキュムレータ機械１０を外部に対して閉鎖している。これにより、はずみ式アキュムレータ機械１０は、外部のはずみ質量体を備えておらず、外部へ案内される駆動軸も備えていない。これにより、はずみ式アキュムレータ機械１０の外には、回転する部材、例えば軸１２や、回転する質量体が存在していない。電気機械１４，１５および軸１２は、ハウジング１１内にカプセル化されており、軸１２は、ハウジング１１の外からアクセス不能である。結果として、受傷に対する防護として回転する部材または質量体を相応にカバーする防護手段も不要である。これにより、加えて、外部に位置するはずみ質量体もしくは軸またはそれらのカバーによって、はずみ式アキュムレータ機械１０の構造空間および組み込みが制限されてしまわないという利点が得られる。
【００３１】
軸１２は、その両端部において軸受１３により回転軸線１２１回りに回転可能に支持されている。軸受１３内には、転動体が設けられており、転動体は、潤滑剤、例えばグリースまたはオイル等の中で可動である。転動体は、特に玉として構成されている。特に軸受１３は、セラミックからなる転動体を有するハイブリッド軸受として構成されている。軸受１３がハイブリッド軸受である場合、軸１２の両端部において、軸受キャップ１１１，１１２内に通路１３１，１３２が設けられている。通路１３１，１３２は、はずみ式アキュムレータ機械１０の外部でニップル１３３，１３４により閉鎖可能である。通路１３１，１３２は、その他方の端部において軸受１３の転動体の近くで開口している。これにより通路１３１，１３２は、それぞれ、潤滑剤を供給すべく、軸受１３に連通している。而して通路１３１，１３２は、それぞれの軸受１３用の潤滑剤の再潤滑可能性を保証している。これにより軸受１３、ひいてははずみ式アキュムレータ機械１０の耐用時間は、最大化できる。加えて各軸受１３の近くに古い潤滑剤用のリザーバ１３５，１３６が設けられている。これにより保守インターバルは、最大化できる。
【００３２】
軸１２の両端部において、軸受キャップ１１１，１１２内に通路１３１，１３２が設けられている。通路１３１，１３２は、はずみ式アキュムレータ機械１０の外部でニップル１３３，１３４により閉鎖可能である。通路１３１，１３２は、それぞれ、軸受１３に連通しており、而してそれぞれの軸受１３用の潤滑剤の再潤滑可能性を保証している。加えて各軸受１３の近くに古い潤滑剤用のリザーバ１３５，１３６が設けられている。
【００３３】
軸１２には、ロータ１４およびはずみ質量体１６が相対回動不能に取り付けられている。加えてロータ１４は、ハウジング１１に不動に配置されるステータ１５に対して相対的に回転可能である。このためにステータ１５とロータ１４との間には、空隙が存在しており、その結果、ステータ１５に電流Ｉ１またはＩ２が流れるとき、ロータ１４とステータ１５とは、互いに相対的に可動である。電流Ｉ１またはＩ２は、機械電流と称呼してもよい。ロータ１４とステータ１５とは、はずみ式アキュムレータ機械１０の電気機械１４，１５を形成している。
【００３４】
ステータ１５は、電気機械１４，１５のモータ巻線あるいはジェネレータ巻線として構成されている。ステータ１５は、巻回ヘッド１５１と、電流Ｉ１を電気機械１４，１５のモータ巻線もしくはジェネレータ巻線またはステータ１５に給電したり、電流Ｉ２を放出したりする、ハウジング１１から外部へ案内される電流接続部１５２とを有している。ステータ１５は、標準化された巻線として構成されていてもよい。
【００３５】
ロータ１４は、同期型として構成されていても、非同期型として構成されていてもよい。特にロータ１４は、少なくとも１つの永久磁石を有している。ロータ１４は、軸受キャップ１１１，１１２と、軸受キャップ１１１，１１２内にそれぞれ設けられた軸受１３とが、ハウジング１１の両端部に配置されているように、回転可能に支持される軸１２に取着されている。軸１２は、ロータ１４を軸支するためだけに用いられ、付加的な駆動機能、例えば外部へのトルク伝達機能を有しない。これにより軸１２は、回転軸線１２１方向で、ロータ１４が、それぞれの軸受キャップ１１１，１１２内に装入された両軸受１３を介して受けられ、ひいては軸方向でも半径方向でも支持されるだけの長さで構成されている。
【００３６】
ロータ１４は、ロータ１４の質量ｍ１および／または軸１２の半径方向でのロータ１４の直径Ｄ１および／または軸１２の軸方向でのロータ１４の幅Ｂ１に基づいて、所定の質量慣性モーメントＪ１を有している。ロータ１４は、はずみ式アキュムレータ機械１０のはずみ質量体を形成している。任意選択的に付加的に存在するはずみ質量体１６あるいは質量ｍ２は、軸１２の半径方向での直径Ｄ２と、所定の質量慣性モーメントＪ２とを有している。
【００３７】
軸１２の半径方向でのロータ１４の直径Ｄ１が大きくなればなるほど、かつ／またはロータ１４の質量ｍ１が大きければ大きいほど、質量慣性モーメントＪ１は大きくなる。軸１２の半径方向でのはずみ質量体１６の直径Ｄ２が大きくなればなるほど、かつ／またははずみ質量体１６の質量ｍ２が大きければ大きいほど、任意選択的なはずみ質量体１６の質量慣性モーメントＪ２は大きくなる。
【００３８】
軸受１３および軸受キャップ１１１，１１２は、軸１２を支持するように設計されており、軸１２には、ロータ１４、場合によってははずみ質量体１６、および機械トランスデューサ１８が取り付けられている。機械トランスデューサ１８の質量は、通常、ロータ１４の質量ｍ１および／または任意選択的に存在するはずみ質量体１６の質量ｍ２と比較して無視できる程度である。これにより軸受１３は、はずみ式アキュムレータ機械１０のシステム全体に合わせて設計されている。この場合、軸受１３は、任意選択的に、高い連続運転回転数ｎ＿Ｄ、例えば軸１２へのロータ１４の組み付け方法に応じて毎分６０００回転以上の範囲の回転数用に設計されている。
【００３９】
はずみ式アキュムレータ機械１０内に蓄積される電気エネルギＥは、
Ｅ＝１／２×（Ｊ１＋Ｊ２）×ｗ２・・・（１）
として算出される。ここで、ｗは、軸１１あるいはメカトロニック運動エネルギアキュムレータ１０の回転速度である。必要に応じて、はずみ式アキュムレータ機械１０は、その都度、必要とされる大きさに構成され得る。例えばロータ１４は、０．３１ｋｇ・ｍ２の質量慣性モーメントＪ１を有し、はずみ質量体１６は、０．４３５ｋｇ・ｍ２の質量慣性モーメントＪ２を有していることができ、このことから、０．７４６ｋｇ・ｍ２の総質量慣性モーメントＪｇｅｓが生じる。例えば毎分６０００回転という平均回転数時、はずみ式アキュムレータ機械１０内に蓄積される電気エネルギＥは、１４７ｋＷｓと算出される。寸法、例えばロータ１４の半径もしくは直径Ｄ１または軸線１２１方向の幅Ｂ１およびはずみ質量体１６の半径もしくは直径Ｄ２または軸線１２１方向の幅ならびにロータ１４の質量およびはずみ質量体１６の質量次第で、質量慣性モーメントＪ１，Ｊ２の別の値が生じる。
【００４０】
はずみ質量体が存在しなければ、質量慣性モーメントＪ２は、０である。この場合、軸１２は、回転軸線１２１方向で、機械１０においてはずみ質量体１６のために必要とされる構造長さの分だけ短縮されてもよい。
【００４１】
総慣性を大幅に高めることで、平均回転数ｎは、軸受寿命の延長に有利になるように低下される。
【００４２】
できる限り大きなエネルギを蓄積するには、ロータ１４は、できる限り高い質量慣性モーメントＪ１、つまり大きな直径Ｄ１および重い構成を有している。任意選択的には、ロータ１４の質量慣性モーメントＪ１をさらに高めるべく、ロータ内部にさらに付加的な質量慣性モーメントあるいは質量が付加されてもよい。
【００４３】
はずみ式アキュムレータ機械１０の上述の構造に基づいて、はずみ式アキュムレータ機械１０、ひいてはその電気機械は、軸受キャップ１１１，１１２に関して鉛直に置いても、水平に置いてもよい。しかし、はずみ式アキュムレータ機械１０は、これらの置き方に限定されるものではなく、あらゆる別の組み付け位置を取ることができる。
【００４４】
回転速度ｗは、機械トランスデューサ１８の検出結果を用いて求めることができる。このために機械トランスデューサ１８は、ステータ１５に対して相対的なロータ１４のポジションを検出し、その検出結果を制御装置２０に出力する。制御装置２０は、ロータ１４のポジションを軸１２の回転数ｎおよび位置あるいはポジションの開ループ制御または閉ループ制御に利用可能である。機械トランスデューサ１８は、図１の例では、独立した構成群としてはずみ式アキュムレータ機械１０内に組み込まれている。
【００４５】
このために機械トランスデューサ１８は、プリント回路板を有していることができ、プリント回路板には、電気機械１の運転中、検出可能あるいは測定可能な物理量を検出するセンサシステムが配置されている。この種の物理量の例は、ステータ１５に対して相対的な軸１２あるいはロータ１４のポジション、軸１２あるいはロータ１４により実施される、軸１２の回転軸線１２１回りの回転の数Ｎ等である。このために機械トランスデューサ１８は、ポジションセンサ１８１および制御ユニット１８２を有している。ポジションセンサ１８１により、例えば軸１２に結合された磁石１８５が走査される。ここから得られた物理量は、軸１２のポジションとして制御ユニット１８２のメモリ内に記憶される。走査は、連続的に、特に機械トランスデューサ１８の連続的な検出により、つまり中断なくまたは常時実施されるか、または所定の走査率で実施される。この走査率は、走査あるいは検出が特にリアルタイムに実施され、これにより常時の走査あるいは検出と見えるように選択されていてもよい。
【００４６】
機械トランスデューサ１８および／またはその制御ユニット１８２の少なくとも一部は、ソフトウェアを有して構成可能である。制御ユニット１８２は、ソフトウェアの実行のために中央の処理ユニット（ＣＰＵ）と、少なくとも１つの作業メモリとを有している。制御ユニット１８２の別のメモリ内には、検出した物理量と、任意選択的には、以下にさらに詳しく説明する評価結果とを、少なくとも一時的に記憶させておくことができる。加えて制御ユニット１８２は、電気機械１４，１５の制御装置２０に接続可能である。これにより制御ユニット１８２と、制御ユニット１８２の上位の制御装置２０とは、データ１８０、例えば検出した物理量および任意選択的に評価結果を交換することができる。
【００４７】
同じく制御装置２０の制御は、連続的に、特に機械トランスデューサ１８の連続的な検出により、つまり中断なくまたは常時実施されるか、または所定の走査率で実施される。この走査率は、制御が特にリアルタイムに実施されるように選択されていてもよい。
【００４８】
図１の例では、はずみ質量体１６は、回転軸線１２１方向で取り付け装置１７により軸方向でクランプされている。このとき、ロータ１４は、軸肩部に押し付けられ、ひいては軸方向でクランプされている。加えて、はずみ質量体１６は、取り付け装置１７に押し付けられる。
【００４９】
図２は、取り付け装置１７をより詳しく示している。取り付け装置１７は、軸１２に組み付けられている（より正確にいえば、クランプされている）クランプリング１７１を有している。加えて歯車１７２が、軸１２に組み付けられ、軸受シールド１７３に固定されている。クランプリング１７１は、歯車１７２の内径部に設けられた切欠き１７２１内に収容されている。クランプリング１７１は、歯車１７２の切欠き内に軸受シールド１７３と、取り付け装置１７の取り付け要素１７４とにより固定されている。歯車１７２は、多数の歯１７２２を有している。図２では、見やすくするために、歯１７２２のすべてに符号を付すことはしていない。歯車１７２は、例えばその歯１７２２でもって軸受キャップ１１２内に係合する。
【００５０】
図３にさらに詳しく示すように、クランプリング１７１は、ディスククラウンとして構成されている。ディスククラウンは、その外縁に多数のノッチ部１７１１を有し、ノッチ部１７１１は、それぞれクランプリング１７１の半径方向で配置され、かつ方向付けられている。ノッチ部１７１１は、それぞれクランプリング１７１の周回りに等間隔に配置されている。加えてクランプリング１７１は、その内縁に多数のノッチ部１７１２を有し、ノッチ部１７１２は、同じくそれぞれクランプリング１７１の半径方向で配置され、かつ方向付けられている。ノッチ部１７１２は、それぞれクランプリング１７１の周回りに等間隔に配置されている。ノッチ部１７１１，１７１２についても、図２では、見やすくするために、そのすべてに符号を付すことはしていない。クランプリング１７１の外縁に設けられたノッチ部１７１１の列は、クランプリング１７１の内縁に設けられたノッチ部１７１２の列に対してクランプリング１７１の周方向でずらされている。これによりクランプリング１７１は、図３に看取可能であるように、複数の中空歯をチェーン状に結合して１つのリングを形成した結合体、または中空歯付きリング形状を呈している。
【００５１】
クランプリング１７１は、クランプリング１７１を軸１２に組み付けたとき、周全体に沿って、図３に太字のブロック矢印として示す軸１２の回転軸線１２１に向かう半径方向の力ＦＲを及ぼすように、軸１２に対して相対的に寸法設定されている。加えてクランプリング１７１により、軸１２の周全体に沿って、図３に太字のブロック矢印として示す横方向力ＦＱが、軸１２に及ぼされる。横方向力ＦＱは、半径方向の力ＦＲに対して横方向に作用する。
【００５２】
はずみ質量体１６を設けるべきとき、取り付け装置１７は、上述の形式で半径方向および軸方向のクランプを実現し、これにより、軸１２へのはずみ質量体１６の簡単な組み付けあるいは軸１２からのはずみ質量体１６の簡単な取り外しを実現する。
【００５３】
上述の構造により、このはずみ式アキュムレータ機械１０は、極めて頑強であり、あるいは摩耗に対して抵抗性を有している。
【００５４】
図４は、第２の実施例において、負荷５０をエネルギ供給ネットワーク５に接続して運転したとき、ネットワーク接続電力を補整し、ネットワーク中のピーク電力を低減し、かつ電気機械１４，１５の接続電力を最小化する閉ループ制御でのはずみ式アキュムレータ機械１０の使用を示している。加えてネットワーク異常用のネットワーク異常バッファリングが実施され得る。
【００５５】
このために、はずみ式アキュムレータ機械１０は、直流電圧中間回路４０において運転されている。直流電圧中間回路４０は、整流器７を介してエネルギ供給ネットワーク５に接続されている。直流電圧中間回路４０内には、電気エネルギを蓄積するバッファコンデンサ４１が設けられている。はずみ式アキュムレータ機械１０のステータ１５は、前述のように、制御装置２０による駆動制御に応じて、電流Ｉ１としての電気エネルギを直流電圧中間回路４０から受電したり、電流Ｉ２を直流電圧中間回路４０に給電したりする。電流Ｉ１は、インバータ３０により電気機械１４，１５の運転に好適であるように逆変換されている。加えて負荷５０は、場合によっては図示しないインバータを介して、電流Ｉ３を直流電圧中間回路４０から受電する。電流Ｉ３は、負荷５０の運転状態に応じて変動する。はずみ式アキュムレータ機械１０および負荷５０は、電気エネルギをエネルギ供給ネットワーク５から受電しているとき、エネルギ供給ネットワーク５における電気的な消費器である。
【００５６】
制御装置２０は、負荷５０の負荷プロフィールあるいは負荷５０により要求される電流Ｉ３を利用して、中間アキュムレータ４０から取り出される電力、ひいてはエネルギ供給ネットワーク５から受電される電力が略一定であるように、はずみ式アキュムレータ機械１０を制御する。
【００５７】
このために制御装置２０は、本実施例では、負荷５０の目下の電力データ５５を受け取り、これにより、はずみ式アキュムレータ機械１０の制御のための目標値２５を算出する。これにより制御装置２０は、はずみ式アキュムレータ機械１０の電力制御のための目標値入力を実行する。負荷５０および／またははずみ式アキュムレータ機械１０の目下の電力データは、特に図１の機械トランスデューサ１８を用いた軸１２の回転速度ｗおよび／またはステータ１５の入力電力および／またはステータ１５の出力電力および／または負荷５０の軸の回転速度ｗおよび／または負荷５０の入力電力から求めることができる。
【００５８】
その結果、負荷５０は、負荷ピーク時、特に負荷５０の急加速または全負荷時、電気エネルギを中間アキュムレータ４０から、かつ／またははずみ式アキュムレータ機械１０の運動エネルギを電流Ｉ２として受電する。この場合、はずみ式アキュムレータ機械１０の軸１２、ひいては電気機械１４，１５および任意選択的に存在するはずみ質量体１６は、減速される。
【００５９】
これに対して負荷５０が、電流Ｉ３としての電気エネルギを中間アキュムレータ４０から、例えば制動時またはアイドリング中、受電しないとき、または部分負荷時、僅かしか受電しないとき、中間アキュムレータ４０からのエネルギは、はずみ式アキュムレータ機械１０に電流Ｉ１として放出され得る。この場合、はずみ式アキュムレータ機械１０の軸１２、ひいては電気機械１４，１５および任意選択的に存在するはずみ質量体１６は、加速される。
【００６０】
エネルギ供給ネットワーク５の異常時、はずみ式アキュムレータ機械１０によりネットワーク異常バッファリングが実施され得る。この場合、負荷５０は、はずみ式アキュムレータ機械１０からの電流Ｉ２としての電気エネルギのみを受電する。
【００６１】
これにより、制御装置２０による駆動制御に応じて、はずみ式アキュムレータ機械１０によりエネルギが吸収または放出される。エネルギの吸収または放出、より正確にいえば、エネルギの吸収量または放出量は、用途における需要に合わされる。
【００６２】
その際、はずみ式アキュムレータ機械１０は、前述のように、極めてコンパクトで、頑強な、しかもフレキシブルに組み付け可能であって、なおかつ簡単な構造を有している。
【００６３】
第３の実施例によれば、電気機械１４，１５は、液冷式の永久励磁式の同期モータとして構成されている。
【００６４】
ここでは、電気機械１４，１５は、ステータ１５の外周、つまりハウジング１１とステータ１５との間に、電気機械１４，１５を冷却する冷却装置を有し、冷却装置は、冷却ジャケットおよび／または少なくとも１つの冷却管として構成されている。冷却装置は、電気機械１４，１５が過熱しないように、運転中、電気機械１４，１５を冷却することができる。冷却装置には、例えば螺旋溝が設けられており、螺旋溝は、冷却剤、例えば冷却液、特にオイル、水等、または冷却ガス、特に空気等をハウジング１１とステータ１５との間において案内する。付加的または代替的に、ハウジング１１とステータ１５との間に、空気の対流があるようにしてもよい。冷却のために、冷却ジャケット内には、加えて漏れ溝が設けられている。漏れ溝は、Ｏリングにより封止可能である。
【００６５】
電気機械１４，１５の上述の構造形態の場合、ロータ１４において複数の永久磁石が１つのスリーブに組み付けられており（特に接着されており）、このスリーブが、軸１２へと組み付けられる。
【００６６】
一実施変化態様によれば、ロータ１４は、軸１２にスリーブのステッププレスばめ（Ｓｔｕｆｅｎｐｒｅｓｖｅｒｂａｎｄ）により組み付けられていてもよい。ステッププレスばめは、力結合式のプレスばめとして構成されている。ステッププレスばめは、軸１２、ひいてはエネルギアキュムレータ１０の動作精度に悪影響を及ぼす応力を引き起こさない。
【００６７】
その他の点では、このアキュムレータシステム１は、第１の実施例に関連して前述したのと同様に構成され、直流電圧中間回路４０において使用可能である。
【００６８】
このようにしても、アキュムレータシステム１およびそのはずみ式アキュムレータ機械１０の極めてコンパクトで、頑強な、しかも簡単な構造が実現され得る。この場合、液冷は、はずみ式アキュムレータ機械の極めてコンパクトかつ省スペースな囲繞およびカプセル化と、大幅に良好な熱導出とを可能にする。
【００６９】
これにより、ユーザのために、囲繞およびカプセル化が、従来の解決手段に比べてはずみ式アキュムレータ機械１０の騒音レベルを大幅に低減するという別の大きな利点も生じる。このことは、特に、例えばプラスチック機械または包装機械の場合にそうであるように、機械オペレータがはずみ式アキュムレータ機械の直接的な近傍で作業する用途において有利である。
【００７０】
前述の実施例の一変化形において、電気機械１４，１５は、自然対流により冷却される永久励磁式のサーボモータとして構成されている。
【００７１】
第４の実施例によれば、電気機械１４，１５は、電子式のタイプラベルを有して構成されている。このために制御装置２０は、識別ユニットを有し、識別ユニットは、はずみ式アキュムレータ機械１０の運転開始中、はずみ式アキュムレータ機械１０のタイプ、ひいてははずみ式アキュムレータ機械１０の特性を自動的に認識し、これを基にしてはずみ式アキュムレータ機械１０の運転を自動的に開始する。
【００７２】
第５の実施例によれば、制御装置２０は、軸１２あるいはロータ１５あるいははずみ質量体１６の回転数プロフィールに基づいて軸受寿命の算出を行う。こうして、軸受１３および／またははずみ式アキュムレータ機械１０全体の保守の最良の時点または期間を予め求めることができる。このことは、予知メンテナンスと称呼されることもある。
【００７３】
システム１、はずみ式アキュムレータ機械１０、およびシステム１および／またははずみ式アキュムレータ機械１０により実施される方法のすべての前述の構成は、個別にまたは可能なあらゆる組み合わせで使用可能である。特に前述の実施例のすべての特徴および／または機能は、任意に組み合わせ可能である。付加的に、特に以下の変化形が可能である。
【００７４】
図面に示す部材は、略示であり、それらの前述の機能が保証されている限りにおいて、その具体的な構成は、図面に示す形態とは異なっていてもよい。
【００７５】
ロータ１４がステータ１５内に配置されているインナロータ型機械として電気機械１４，１５が記載されているとしても、電気機械１４，１５は、択一的に、ロータ１４がステータ１５の周囲に配置されているアウタロータ型機械として構成することも可能である。
【００７６】
電気機械１４，１５は、制御装置２０としてのプログラマブルロジックコントローラ（ＰＬＣ）により制御可能である。代替的には、電気機械１４，１５は、制御装置２０としてのＣＮＣコントローラ（Ｃｏｍｐｕｔｅｒｉｚｅｄ  Ｎｕｍｅｒｉｃａｌ  Ｃｏｎｔｒｏｌ＝コンピュータ数値制御）により制御可能である。
【００７７】
はずみ式アキュムレータ機械１０、場合によっては、対応するシステム１を備えるはずみ式アキュムレータ機械１０は、駆動システムの少なくとも一部として車両または産業設備の搬送システム内に組み込み可能かつ使用可能である。この場合、産業設備の搬送システムは、空間内での任意の運動を引き起こすシステムと解すべきである。代替的には、はずみ式アキュムレータ機械１０、場合によっては、対応するシステム１を備えるはずみ式アキュムレータ機械１０が、プラスチック機械および／または包装機械の少なくとも一部として組み込まれているまたは使用されることが可能である。代替的には、はずみ式アキュムレータ機械１０、場合によっては、対応するシステム１を備えるはずみ式アキュムレータ機械１０が、プレス設備の少なくとも一部あるいは少なくとも部分的にプレス設備の一部であるか、またはプレス設備のために使用されることができる。概してはずみ式アキュムレータ機械１０、場合によっては、対応するシステム１を備えるはずみ式アキュムレータ機械１０は、大きなネットワーク変動を引き起こすことなく、時の経過中の様々な負荷状態に対応することができるように、エネルギを一時的に蓄積したり、呼び出したりすべきところであればどこでも、使用可能である。
【図１】
2019193560.tif 000003
【図２】
2019193560.tif 000004
【図３】
2019193560.tif 000005
【図４】
2019193560.tif 000006
【外国語明細書】
2019193560.tif 000007
2019193560.tif 000008
2019193560.tif 000009
2019193560.tif 000010
2019193560.tif 000011
2019193560.tif 000012
2019193560.tif 000013
2019193560.tif 000014
2019193560.tif 000015
2019193560.tif 000016
2019193560.tif 000017
2019193560.tif 000018
2019193560.tif 000019
2019193560.tif 000020
2019193560.tif 000021
2019193560.tif 000022
2019193560.tif 000023
2019193560.tif 000024
2019193560.tif 000025
2019193560.tif 000026
2019193560.tif 000027
2019193560.tif 000028